(57)【要約】      （修正有）【課題】防水性、耐衝撃性を高め、かつ荷物かごから外れないようにした自転車の荷物かごカバーを提供する。【解決手段】ほぼ長方形の防水布の４隅を切欠いて、この切欠きを集合して２重に重ね合せ縫製して形成した頂面５及び周面３、４を有する袋状カバー本体１の開口部周囲にゴム紐を挿入した伸縮可能のチューブ７を形成し、このチューブ７を手で拡げながら荷物かごの開口部にカバー本体１を被せ、チューブ７を収縮させて荷物かごの周囲に止着することによってカバー本体１を荷物かごに装着する。そして係止テープ８、８の先端に設けたフック８ａ、８ａを荷物かごの横棧に係止し、カバー本体１が荷物かごから外れないようにする。【選択図】図６
0003183770.tif 000002
【実用新案登録請求の範囲】
【請求項１】
頂面とその外周に続く周面と、周面の端縁開口部全周に形成された伸縮可能のチューブより成る袋状カバー本体と、前記周面に一端が固着され、他端にフックを取り付けたカバー本体係止用テープより成り、前記袋状カバー本体をその開口部から荷物かごに被せたときに前記フックを荷物かごに係止可能とした自転車の荷物かごカバー。
【請求項２】
前記袋状カバー本体は、防水布の外周に４以上の切欠きを形成し、これらの切欠きを集合して周面及びそれに囲まれる頂面を形成したものであって、前記切欠きは合せ代を有しこれらを集合するときに２重に重ね合せてその内側縁及び外側縁共に互に固着した請求項１に記載の自転車の荷物かごカバー。
【請求項３】
前記袋状カバー本体開口部に近接して、前記周面とほぼ同じ長さの非伸縮性テープが開口部全周にわたって固着された請求項１または２に記載の自転車の荷物かごカバー。
【請求項４】
前記袋状カバー本体の周面に、一端と他端が係止できるバンドが取り付けられ、筒状に丸めたカバー本体の外周に巻き付けて結束可能とした請求項１〜３のいずれかに記載の自転車の荷物かごカバー。
【請求項５】
前記袋状カバー本体の周面に、筒状に丸めたカバー本体を釣下げる釣下げ具が取り付けられた請求項１〜４のいずれかに記載の自転車の荷物かごカバー。
【考案の詳細な説明】
【技術分野】
【０００１】
この考案は、自転車等に取り付けられた荷物かごに装着するカバーに関する。
【背景技術】
【０００２】
特許文献１には、防水布から成る袋の開口部周縁にゴム紐を通した自転車のかごカバーが開示されている。しかしながらこのようなカバーは、ゴム紐でかごの周囲を締め付けるだけでかごに装着するようになっているため、振動やそれによる荷物の崩落などによってカバーがかごから外れてしまうおそれがある。
【０００３】
また、このようなカバーは、雨水や振動、荷物の衝撃等に耐えるだけの防水性、耐衝撃性が必要とされるがそれについては何の提案もなされていない。
【先行技術文献】
【特許文献】
【０００４】
【特許文献１】実開平７−１７６９４号公報
【考案の概要】
【考案が解決しようとする課題】
【０００５】
そこで、この考案の課題は、自転車の荷物かごカバーの防水性、耐衝撃性を高め、かつ荷物かごから外れないようにすることである。
【課題を解決するための手段】
【０００６】
上記の課題を解決するために、この考案においては、頂面とその外周に続く周面と、周面の端縁開口部全周に形成された伸縮可能のチューブより成る袋状カバー本体と、前記周面に一端が固着され、他端にフックを取り付けたカバー本体係止用テープより成り、前記袋状カバー本体をその開口部から荷物かごに被せたときに前記フックを荷物かごに係止可能とした構成を採用したのである。
【０００７】
前記袋状カバー本体は、防水布より成るウエブの外周に４以上の切欠きを設け、これらの切欠きを集合して周面及びこれに囲まれる頂面を形成したものであって、これらの切欠きは合せ代を有し、集合する際に合せ代を２重に重ね合せてその内側縁及び外側縁共に互に固着し、切欠きからの浸水を防止してある。
【０００８】
また前記周面の開口部に近接して開口部全周に非伸縮性テープを固着しておくのが好ましい。さらに、袋状カバー本体の周面に、結束用バンドを取り付けておくことができる。その他、結束した袋状カバー本体の釣下げ用ストラップを取り付けてもよい。
【考案の効果】
【０００９】
この考案によれば、以上のように、袋状カバー本体を荷物かごに係止するフックを設けたので、耐衝撃性が向上しカバーが外れることがない。また、隅角部を２重に重ね合せて内側縁と外側縁を固着したので、浸水を確実に防止することができる。
【図面の簡単な説明】
【００１０】
【図１】この考案に係るカバー本体の最初の製作工程を示す平面図、
【図２】カバー本体のコーナ部の製作工程を示す部分拡大斜視図、
【図３】上記工程による完成斜視図、
【図４】カバー本体の第３の製作工程を示す部分拡大斜視図、
【図５】第４の製作工程を示す部分拡大断面図、
【図６】カバーの完成平面図、
【図７】カバーの使用状態を示す一部縦断側面図、
【図８】カバーの折畳み収納状態を示す正面図である。
【考案を実施するための形態】
【００１１】
以下、この考案の実施形態を添付図面に基づいて説明する。まずこの考案に係るカバー本体の製作工程を図１乃至図５を参照しながら説明する。最初に、図１に示すようなほぼ長方形に裁断した柔軟な防水布１を用意し、４隅のコーナ部に直角の切欠き２を形成し、側面３、３と端面４、４及び頂面５の区画を定める。ここで切欠き２は周面（側面及び端面）を立ち上げるためである。前記頂面５は完成したカバーが自転車の荷物かごの上面開口の形状にほぼ対応してそれを覆うのに充分な面積を有し、側面３と端面４はかごの周面を部分的に（例えば中途部分まで）覆う面積を有している。そして、隣接する側面３と端面４の両端縁には、合せ代２ａを形成しておく。なお、防水布としては、織布や不織布に防水処理を施したもの、合成樹脂シートなどが用いられる。
【００１２】
次の第２工程として、図２（Ａ）に示すように、隣接する側面３と端面４の端縁３ａ及び４ａにまたがって設けられた合せ代２ａをその中心線２ｂに沿って折り曲げ、中心線２ｂから両方の合せ代２ａ、２ａを重ね合せる。そして、図２（Ｂ）に示すように、端縁３ａ及び４ａを縫目２ｃによって結合する。さらに、重ね合せた合せ代２ａの外側縁を縫目２ｄによって固着する。このように、カバー本体１のコーナ部に合せ代２ａを設けてこれを重ね合せ、その内側縁と外側縁を縫目２cと２ｄで縫着することによって、側面３と端面４の合せ目から雨水が浸水するのを防止することができる。図３は４隅全部を縫着したカバー本体１を示している。なお、カバー本体１は柔軟な防水布で形成されているため保形性がなく、図示のようにほぼ正確な直方形になるわけではなく、図は理解し易いように模式的に示している。
【００１３】
上記のようにして形成したカバー本体１を合せ代２ａが内面になるように反転（裏返し）させる。この状態で、図４に示すように、開口部の近辺に伸縮性の無いテープ６を全周にわたって縫着する。テープ６の長さは開口部全周と同じ長さである。これは開口部を補強し、かつ開口部の拡張、即ち開口部が所定以上に拡がるのを制限するためである。
【００１４】
次の第４工程として、カバー本体１の側面３及び端面４の上縁即ち開口部周縁を内側に折り曲げてその端縁を側面３及び端面４に縫着し、図５に示すように、中空状チューブ７を開口部全周に形成する。このチューブ７内にチューブ７の長さよりも短いゴム紐７ａを挿通して両端を連結し、カバー本体１の開口部を伸縮自在とし、自転車かごの開口部に被せてゴム紐７ａの弾性によりかごの周囲に係止できるようにする。
【００１５】
図６は上記工程で完成したカバー本体１の平面を示すが、このカバー本体１を確実にかごに装着し外れないようにするため、さらにかごＣに掛止する手段を付設しておくのが好ましい。図示のように、ループ状テープ８、８の一端が側面３の内面に固着され、このテープ８、８の先端のループにフック係止具８ａがそれぞれ取り付けられている。これらの係止具８ａは、ループ状テープ８と共にカバー本体１の開口部から適宜距離だけ外側に延びた位置にある。さらに、カバー本体１を折り畳んで収納する際の結束手段として、バンド９の一端が側面３に固着されており、バンド９の一端の表面と他端の裏面には、互に係止可能な面ファスナ９ａ、９ｂが固着されている。なお、テープ８及びバンド９の取付け方向は側面３とほぼ直角方向である。
【００１６】
上記テープ８及びバンド９のほかに、後述の用途に用いる釣下げ用ストラップ１０を設けておくことができる。このストラップ１０は、一端が前記バンド９と同じ個所に固着され、先端はバンド９の先端とほぼ同じ個所まで延び、この先端に係合用フック１０ａ、前記一端にフック１０ａを係止できるリング１０ｂが取り付けられている。なお、ストラップ１０は、紐ばかりでなくチェンなどを用いてもよい。
【００１７】
この考案のかごカバーは、以上のように、袋状のカバー本体１に、少くとも係止用テープ８、８を取り付けたものであるが、その他結束用バンド９や釣下げ用ストラップ１０を取り付けておくことが好ましい。このようなカバーの使用例を図７に示す。図示のように、自転車等の前後に取り付けられた荷物かごＣに荷物Ｐを収納し、かごＣの開口部と共に荷物Ｐの上面を覆うように、カバー本体１の開口部周辺のゴム紐を挿入したチューブ７を手で拡げながらかごＣの側面まで引き下げる。そしてカバー本体１の布地が緊張した状態で引き伸ばしたチューブ７を手放すと、ゴム紐の弾性でチューブ７がかごＣの周囲を締め付け、カバー本体１が荷物Ｐを積載したかごＣに装着される。さらにカバー本体１をかごＣに確実に装着するため、テープ８先端のフック係止具８ａをかごＣの横棧に掛止しておく。これによって、荷物Ｃは塵埃や雨水から防護され、また衝撃があっても荷くずれなどが防止される。
【００１８】
かごカバーを使用しない場合には、図６の一方の側面３から他方の側面３の方向にカバー本体１を巻くように折り畳む。図８に示すように筒状に丸められるので、中央のバンド９を巻き付けて面ファスナ９ａに９ｂを係合すると丸めた状態が維持される。これを適当な手提げバッグ等に収納してもよいが、釣下げストラップ１０を用いてバッグ等の手提げバンドに通しそのフック１０ａをリング１０ｂに係止すれば、バッグ等に釣下げることができ、一種のアクセサリとなる。
【００１９】
この考案のかごカバーは以上の通りであるが、係止テープ８は図示の２本に限らず１以上であればよく、側面３及び端面４のどこに取り付けてもよい。また、カバー収納時に丸める方向は端面４の方向から丸めてもよい。その場合は、結束バンド９は端面４に取り付ける。また、カバー本体１を形成する防水布のウエブ形状は長方形ばかりでなくその他の多角形、楕円形、長円形などいずれでもよい。さらに、この考案のカバーは、自転車のかごカバーばかりでなく、荷物を収納するかごであればどのようなものにも利用することができる。
【符号の説明】
【００２０】
１  カバー本体
２  切欠き
２ａ  合せ代
２ｂ  中心線
２ｃ、２ｄ  縫目
３  側面
３ａ  端縁
４  端面
４ａ  端縁
５  頂面
６  テープ
７  中空チューブ
７ａ  ゴム紐
８  係止テープ
８ａ  フック係止具
９  バンド
９ａ、９ｂ  面ファスナ
１０  釣下げストラップ
１０ａ  フック
１０ｂ  リング
【図１】
0003183770.tif 000003
【図２】
0003183770.tif 000004
【図３】
0003183770.tif 000005
【図４】
0003183770.tif 000006
【図５】
0003183770.tif 000007
【図６】
0003183770.tif 000008
【図７】
0003183770.tif 000009
【図８】
0003183770.tif 000010